(57)【要約】【課題】車両後方からの風の巻き込みにより、排気ガスが車両中央方向に進入することを防ぐ排気希釈システムを提供する。【解決手段】排気希釈システム１００は、電池冷却ダクト６０が、蓄電装置３０からの冷却空気の一部を排気希釈装置５０の空気吸引側に分岐させる分岐ダクト６１を備える。分岐ダクト６１は、開口部６１ａが排気希釈装置５０の吸引口５０ａに向けて設置されている。分岐ダクト６１の開口部６１ａの設置位置は、水素センサよりも後方である。【選択図】図１
2015210898.tif 000002
【特許請求の範囲】
【請求項１】
排気管の下流側後端部に形成された噴出口と、前記噴出口から噴出される主流による負圧を用いて副流である大気を吸引する吸引口及び、吸引後の主流と前記副流とを混合して希釈する混合部を有する希釈器本体と、を備える排気希釈装置と、
前記排気希釈装置の周囲に、車両の後方に向けた気体を送り込む送気手段と、を備える
ことを特徴とする排気希釈システム。
【請求項２】
前記送気手段は、前記排気希釈装置の前記吸引口に気体を送る
ことを特徴とする請求項１に記載の排気希釈システム。
【請求項３】
前記送気手段は、送風手段によって蓄電装置を経由するように送られた気体の少なくとも一部を、前記排気希釈装置の周囲に送り込む配管である
ことを特徴とする請求項１又は請求項２のいずれか１項に記載の排気希釈システム。
【請求項４】
前記送気手段は、車両前部空間を換気する換気手段によって送られた気体の少なくとも一部を、前記排気希釈装置の周囲に送り込む配管である
ことを特徴とする請求項１乃至請求項３のいずれか１項に記載の排気希釈システム。
【請求項５】
前記送気手段は、燃料電池に用いられる反応ガスである酸化剤ガスを供給する供給手段の送気の少なくとも一部を、前記排気希釈装置の周囲に送り込む配管である
ことを特徴とする請求項１乃至請求項４のいずれか１項に記載の排気希釈システム。
【請求項６】
前記排気希釈装置より前方に配置されて車両底面を覆うアンダーカバーと、前記アンダーカバーに設けられており、車両走行によって発生した走行風を前記排気希釈装置の周囲に送り込む走行風ガイド部と、を備える
ことを特徴とする請求項１乃至請求項５のいずれか１項に記載の排気希釈システム。
【発明の詳細な説明】
【技術分野】
【０００１】
本発明は、排気希釈システムに関する。
【背景技術】
【０００２】
燃料電池は、燃料ガス（主に水素を含有するガス）及び酸化剤ガス（主に酸素を含有するガス）をアノード側電極及びカソード側電極に供給して電気化学的に反応させることにより、直流の電気エネルギを得るシステムである。
例えば、固体高分子型燃料電池は、高分子イオン交換膜からなる電解質膜の両側に、それぞれアノード側電極及びカソード側電極を設けた電解質膜・電極構造体を、セパレータによって挟持した発電セルを備えている。この種の発電セルは、通常、電解質膜・電極構造体及びセパレータを所定数だけ交互に積層することにより、燃料電池スタックとして使用されている。
【０００３】
この種の燃料電池は、車載用としての利用が要請されており、車両に搭載するために種々の工夫がなされている。特に、発電反応後に燃料電池から排出される排出燃料ガス（以下、アノードオフガスという）は、直接、車両から外部に放出させることができず、希釈用ガス、例えば、発電反応後に前記燃料電池から排出される空気（以下、カソードオフガスともいう）により所定の濃度以下に希釈する必要がある。
【０００４】
特許文献１には、アノードオフガスを希釈する希釈装置と、前記希釈装置の下流に配設され、前記希釈装置で希釈された排ガスを外部に排出する排気配管とを備える排気希釈システムが記載されている。当該排気配管は、流路断面積が減少する絞り部と、排ガスが前記絞り部を通過する際に発生する負圧を介し、前記排気配管の外部から該排気配管の内部に空気を吸引するための吸引部と、を有する。特許文献１記載の燃料電池システムは、車両後部に設置された大気希釈用の排気配管によって、前記希釈装置で希釈された排ガスを、さらに大気希釈する。なお、前記希釈装置は、前記排気配管による大気希釈がない場合でも排ガスを所定の濃度以下に希釈することができる。
【０００５】
図５は、排気希釈システムが搭載される車両の後部構造を示す概略側面図である。
図５に示すように、排気希釈システムは、排ガスを排出する排気配管１０と、排気配管１０に設けられ、排ガスを大気導入して希釈する希釈器１１と、を備える。また、車両後部には、燃料を貯蔵する水素タンク１５と、水素タンク１５の上部に設置され、水素タンク１５周囲の水素濃度を検出する水素センサ１６と、が備えられる。水素センサ１６は、パネル１７の下面に取り付けられる。また、水素タンク１５は、ホイールハウス１８に近接して配置される。
【先行技術文献】
【特許文献】
【０００６】
【特許文献１】特開２００９−１７０２０９号公報（図１、図２）
【発明の概要】
【発明が解決しようとする課題】
【０００７】
しかしながら、特許文献１記載の排気希釈システムは、車両後部に設置された大気希釈用の排気配管１０の周辺において、停車時に車両後方からの風の巻き込み（図５の符号ａ参照）があった場合、排気ガスが排気配管又はその周辺を逆流し、水素タンク１５上へと流れる可能性がある（図５の矢印ｂ参照）。この場合、水素タンク１５上に設置されている水素センサ１６が逆流してきた水素を感知する可能性がある。
【０００８】
本発明は、これらの問題に鑑みてなされたものであり、車両後方からの風の巻き込みにより、排気ガスが車両中央方向に進入することを防ぐ排気希釈システムを提供することを課題とする。
【課題を解決するための手段】
【０００９】
上記課題を解決するための手段として、本発明は、排気管の下流側後端部に形成された噴出口と、前記噴出口から噴出される主流による負圧を用いて副流である大気を吸引する吸引口及び、吸引後の主流と前記副流とを混合して希釈する混合部を有する希釈器本体と、を備える排気希釈装置と、前記排気希釈装置の周囲に、車両の後方に向けた気体を送り込む送気手段と、を備えることを特徴とする排気希釈システムである。
【００１０】
このような構成によれば、排気希釈装置の周囲において車両後方へ向かう空気の流れ場が作られる。これにより、車両後方へ向かう空気の流れが、車両後方からの風の巻き込みによる車両後方からの風の逆流を抑制する。したがって、車両後方からの風の巻き込みにより、排気ガスが車両中央方向に進入することを防ぐことができる。例えば、車両後方からの風の巻き込みにより、アノードオフガスが水素タンク上の水素センサに導かれることを効果的に防ぐことができる。
また、排気希釈装置の周囲に車両後方へ向かう空気の流れ場が作られることで、排気希釈装置の外周及び排気希釈装置の吸込みのいずれの領域においても、車両後方へ向かう空気の流速が増大する。これにより、排気希釈装置の吸込み効率が向上し、希釈率が上がる。このため、排気希釈装置の小型化が可能となる。
【００１１】
また、排気希釈システムにおいて、前記送気手段は、前記排気希釈装置の前記吸引口に気体を送ることが好ましい。
【００１２】
このような構成によれば、排気希釈装置の吸込み効率が向上するので、大気による希釈率を上げることができ、排気希釈装置の小型化を図ることができる。
【００１３】
また、排気希釈システムにおいて、前記送気手段は、送風手段によって蓄電装置を経由するように送られた気体の少なくとも一部を、前記排気希釈装置の周囲に送り込む配管であることが好ましい。
【００１４】
このような構成によれば、蓄電装置に用いられる送風手段の空気の流れを利用して、排気希釈装置の周囲に車両後方へ向かう空気の流れ場を作ることができる。
【００１５】
また、排気希釈システムにおいて、前記送気手段は、車両前部空間を換気する換気手段によって送られた気体の少なくとも一部を、前記排気希釈装置の周囲に送り込む配管であることが好ましい。
【００１６】
このような構成によれば、車両前部空間の換気手段に用いられる送風手段の空気の流れを利用して、排気希釈装置の周囲に車両後方へ向かう空気の流れ場を作ることができる。
【００１７】
また、排気希釈システムにおいて、前記送気手段は、燃料電池に用いられる反応ガスである酸化剤ガスを供給する供給手段の送気の少なくとも一部を、前記排気希釈装置の周囲に送り込む配管であることが好ましい。
【００１８】
このような構成によれば、燃料電池の酸化剤ガス用の供給手段の風の流れを利用して、排気希釈装置の周囲に車両後方へ向かう空気の流れ場を作ることができる。
【００１９】
また、排気希釈システムにおいて、前記排気希釈装置より前方に配置されて車両底面を覆うアンダーカバーと、前記アンダーカバーに設けられており、車両走行によって発生した走行風を前記排気希釈装置の周囲に送り込む走行風ガイド部と、を備えることが好ましい。
【００２０】
このような構成によれば、各ダクトを配管したり分岐させたりすることなく、簡易な構成で、排気希釈装置の周囲に車両後方へ向かう空気の流れ場を作ることができる。また、上記送風手段、上記供給手段と併用することで、停車時の車両後方からの風の巻き込みを抑制することができるとともに、アノードオフガスの車両中央方向に進入防止効果をより一層高めることができる。
【発明の効果】
【００２１】
本発明によれば、車両後方からの風の巻き込みにより、排気ガスが車両中央方向に進入することを防ぐ排気希釈システムを提供することができる。
【図面の簡単な説明】
【００２２】
【図１】本発明の第１の実施形態に係る排気希釈システムが搭載される車両の後部構造を車両の下方左側から見た底面斜視図である。
【図２】本実施形態に係る排気希釈システムの排気希釈装置の断面図である。
【図３】本発明の第２の実施形態に係る排気希釈システムが搭載される車両の後部構造を車両の下方左側から見た底面斜視図である。
【図４】本発明の第３の実施形態に係る排気希釈システムが搭載される車両の後部構造を車両の下方左側から見た底面斜視図である。
【図５】排気希釈システムが搭載される車両の後部構造を示す概略側面図である。
【発明を実施するための形態】
【００２３】
以下、本発明の実施形態について図面を参照して詳細に説明する。
（第１の実施形態）
本発明の第１の実施形態について、図１及び図２を参照して詳細に説明する。説明において、同一の要素には同一の番号を付し、重複する説明は省略する。また、方向を説明する場合は、車両の運転者からみた前後左右上下に基づいて説明する。なお、車幅方向と左右方向は同義である。
【００２４】
図１に示すように、車体１の車体後部１ａには、井げた形状の骨格部材であるリヤサブフレーム２０が配置される。リヤサブフレーム２０の下側が床下空間３の一部を形成している。リヤサブフレーム２０の後端部２０ａには、一対の突起部２０ｂ，２０ｂが突出形成される。車体１の底面には、車体１の一端側に沿って車体後部１ａまで延びる排気配管４０（後記）と、他端側に沿って車体後部１ａまで延びる電池冷却ダクト６０（後記）とが設置される。排気配管４０と電池冷却ダクト６０は、一対の突起部２０ｂ，２０ｂの間で互いに近づくように折れ曲がり、その外側で再びそれぞれ車幅方向に延出する。
【００２５】
排気希釈システム１００は、図示しない燃料電池から排出される排ガスを外部に排出する排気配管４０と、排気配管４０を流れた排ガスを大気を導入して希釈する排気希釈装置５０と、を備える。
【００２６】
＜排気希釈装置５０＞
図２に示すように、排気希釈装置５０は、排気配管４０の下流側後端部に形成された噴出口４０ａと、噴出口４０ａから噴出される主流による負圧を用いて副流である大気を吸引する吸引口５０ａ及び、吸引後の主流と副流とを混合して希釈する混合部５０ｂを有する希釈器本体５１と、を備える。
【００２７】
排気配管４０の噴出口４０ａは、排気配管４０の外径を絞って小径部を形成することにより形成される。排気希釈装置５０の吸引口５０ａは、希釈器本体５１の先端部の外周部を拡径させて形成される。希釈器本体５１は、排気配管４０の噴出口４０ａの外周面を覆う外筒形状であり、車両下方側に向かって緩やかに湾曲し、かつ開口部５０ｃが路面側に開口している。開口部５０ｃの車体側には排気希釈装置５０をフロアパネル５５（図１参照）に取り付ける取付部５０ｄが形成されている。排気希釈装置５０は、図１に示すように、取付部５０ｄに連通されたボルト５６によりフロアパネル５５に取り付けられている。
【００２８】
排気希釈装置５０は、排気配管４０の端部を縮径した噴出口４０ａからの主流と、この主流により発生する負圧で排気希釈装置５０の吸引口５０ａに吸引される大気の副流とを混合して、主流である排ガスを希釈するものである。
【００２９】
＜電池冷却ダクト６０＞
また、排気希釈システム１００は、燃料電池（図示省略）からの出力を蓄電する蓄電装置３０を収容する電池収納部３１と、電池収納部３１に取り付けられ、蓄電装置３０を冷却する送風ファン（図示省略）を駆動する駆動部３２と、蓄電装置３０を冷却した空気を車両後部１ａまで導いて放出する電池冷却ダクト６０（送風手段）と、を備える。
【００３０】
電池冷却ダクト６０は、電池収納部３１に取り付けられた基端部６０ａと、基端部６０ａから車両後方に延びる配管６０ｂと、配管６０ｂを折り曲げるＵ字部６０ｃと、Ｕ字部６０ｃから車両後方に延びる配管６０ｄと、先端部６０ｅと、を備える。先端部６０ｅは、車両後端部の車室５７側に開口されている。
電池冷却ダクト６０は、基端部６０ａが車体１の中央に配置された電池収納部３１に取り付けられ、配管６０ｂが車幅方向（ここでは右方向）に延出し、そこから車体１の底面の一端側に沿って車両後方まで延びる。そして、Ｕ字部６０ｃにより一旦Ｕ字形に折れ曲がって車幅方向に戻される。
【００３１】
本実施形態の排気希釈システム１００は、電池冷却ダクト６０が、蓄電装置３０からの空気の一部を排気希釈装置５０の空気吸引側に分岐させる分岐ダクト６１（送気手段）を備えることを特徴とする。
分岐ダクト６１は、電池冷却ダクト６０のＵ字部６０ｃから分岐し、排気希釈装置５０の空気吸引側に延びる。分岐ダクト６１は、排気希釈装置５０の周囲において車体１の後方に向けた気体（ここでは空気）を送り込む送気手段を構成する。
【００３２】
分岐ダクト６１は、開口部６１ａが排気希釈装置５０の吸引口５０ａに向けて設置されている。分岐ダクト６１の開口部６１ａの設置位置は、図示しないホイールハウスに近接して配置された水素タンクの上部に設置された水素センサよりも後方である（図５参照）。この水素センサは、燃料を貯蔵する水素タンク周囲の水素濃度を検出するものである。また、分岐ダクト６１の途中には、車体１の後方に向かう流れと逆方向の流れを妨げる逆止弁６５が設けられている。
【００３３】
以下、上述のように構成された排気希釈システム１００の作用効果について説明する。
＜排気希釈装置５０の基本動作＞
排気希釈装置５０は、排気配管４０の噴出口４０ａ及び希釈器本体５１の吸引口５０ａを有するエゼクタ構造が採用されている。このため、図２の矢印ａに示すように、排気配管４０に排出された排ガスは、排気希釈装置５０において、流路断面積の減少する噴出口４０ａを通過する際に、吸引口５０ａに負圧を発生させる。これに伴い、図２の白矢印ｂに示すように、排気配管４０の噴出口４０ａ外周に沿って流れる空気が、吸引口５０ａから希釈器本体５１の内部に吸引される。排気配管４０の噴出口４０ａから排出された排ガスは、外部空気によって希釈され、所望の水素濃度以下に希釈された後、車体１の外部に放出される。
【００３４】
＜排気希釈装置５０の逆流防止動作＞
希釈器本体５１の吸引口５０ａには、電池冷却ダクト６０から分岐した分岐ダクト６１の開口部６１ａが開口している。このため、図２の黒矢印ｃに示すように、電池冷却ダクト６０から分岐して、分岐ダクト６１を流れた空気が開口部６１ａから希釈器本体５１の吸引口５０ａに向かって送られる。
【００３５】
吸引口５０ａに向かって送られる空気の一部は、図２の白矢印ｂに示す排気配管４０の外周に沿って流れる空気と共に、吸引口５０ａから希釈器本体５１の内部に吸引される。この場合、吸引口５０ａに向かって送られる空気によって、希釈器本体５１の内部に吸引される空気の流速はより高まり、この外部空気によって排気配管４０の噴出口４０ａから排出された排ガスはさらに希釈される。このような希釈効果の向上に加えて、排気希釈装置５０から放出される気体の流速も高まることで、車両後方から車両前方に押し戻すような空気の流れ（例えば、風の巻き込み）を抑制することができる。
【００３６】
一方、吸引口５０ａに向かって送られる空気のうち、希釈器本体５１の吸引口５０ａに吸引されなかった空気は、図２の矢印ｄに示すように、希釈器本体５１の外周に沿って車両後方に流れる。この希釈器本体５１の外周に沿って車両後方に流れる空気によっても、車両後方からの風の巻き込みを抑制することができる。
【００３７】
このように、分岐ダクト６１の開口部６１ａは、希釈器本体５１の吸引口５０ａに向かって開口しているので、開口部６１ａから放出された空気は、希釈器本体５１の内部への吸引又は希釈器本体５１の外部での流れに拘わらず、ほぼ車両後方に向かって流れることになる。このため、車両後方から車両前方に押し戻すような空気の流れと逆方向の空気の流れがつくられることによって、車両後方からの風の巻き込みを抑制することができる。その結果、排ガス（例えば、アノードオフガス）が水素タンク上の水素センサに至ることを効果的に防ぐことができる。
【００３８】
（第２の実施形態）
図３に示すように、排気希釈システム１１０は、ラジエータ用のファンを利用して換気する強制換気ファン７０（換気手段）と、強制換気ファン７０により換気された空気を排気希釈装置５０まで導いて放出する換気ダクト８０（送気手段）と、を備える。ラジエータとは、燃料電池（図示省略）で発生した熱を放熱させるものであり、燃料電池とラジエータとの間で冷媒を循環させるように構成されている。
【００３９】
また、換気手段としては、燃料電池で水素漏れが発生したときに駆動されて、水素を強制換気するものでもよい。
【００４０】
換気ダクト８０は、排気配管４０に併設して配管される。換気ダクト８０は、開口部８０ａが排気希釈装置５０の希釈器本体５１の吸引口５０ａに向けて設置される。換気ダクト８０と排気配管４０を併設して配管することで、設置スペースを確保でき、また作業性を高めることができる。また、換気ダクト８０の途中には、車体１の後方に向かう流れと逆方向の流れを妨げる逆止弁８５が設けられている。
【００４１】
以下、上述のように構成された排気希釈システム１１０の作用効果について説明する。
希釈器本体５１の吸引口５０ａには、換気ダクト８０の開口部８０ａが開口している。このため、図２の黒矢印ｃに示すように、換気ダクト８０の開口部８０ａから希釈器本体５１の吸引口５０ａに向かって送気される。
【００４２】
希釈器本体５１の吸引口５０ａに向かって送られる空気の一部は、図２の白矢印ｂに示す排気配管４０の外周に沿って流れる空気と共に、吸引口５０ａから希釈器本体５１の内部に吸引される。したがって、排気希釈装置５０から放出される空気の流速も高まることで、車両後方から車両前方に押し戻すような空気の流れ（風の巻き込み）を抑制することができる。
【００４３】
一方、希釈器本体５１の吸引口５０ａに向かって送られる空気のうち、排気希釈装置５０の内部に吸引されなかった空気は、図２の矢印ｄに示すように、希釈器本体５１の外周に沿って車両後方に流れる。この希釈器本体５１の外周に沿って車両後方に流れる空気によっても、車両後方からの風の巻き込みを抑制することができる。
【００４４】
このように、換気ダクト８０の開口部８０ａは、希釈器本体５１の吸引口５０ａに向かって開口しているので、開口部８０ａから放出された空気は、排気希釈装置５０の内部への吸引又は外部での流れに拘わらず、ほぼ車両後方に向かって流れることになる。このため、車両後方から車両前方に押し戻すような空気の流れと逆方向の空気の流れがつくられることによって、車両後方からの風の巻き込みを抑制することができる。その結果、排ガス（例えば、アノードオフガス）が水素タンク上の水素センサに至ることを効果的に防ぐことができる。
【００４５】
[変形例]
図３では、強制換気ファン７０により換気された空気を換気ダクト８０に連通させる例について示したが、希釈器本体５１の吸引口５０ａに所定の風の流れをつくるものであればどのようなものでもよい。
【００４６】
例えば、強制換気ファン７０に代えて、車両前部空間の換気ファン（換気手段）からのダクト（送気手段）を、第１の実施形態と同様の方法で分岐してもよく、同様の効果を得ることができる。
【００４７】
また、強制換気ファン７０に代えて、燃料電池に利用される反応ガスである酸化剤ガスのエアポンプ（供給手段）からのダクト（送気手段）を、第１の実施形態と同様の方法で分岐してもよく、同様の効果を得ることができる。
【００４８】
（第３の実施形態）
図４に示すように、排気希釈システム１２０は、リヤサブフレーム２０の下方に、排気希釈装置５０より前方に配置されて車両底面（排気配管４０等を含む）を覆うアンダーカバー９０と、アンダーカバー９０の上面に設けられており、車両走行によって発生した走行風を車両後方に逃がすように整流すると共に、排気希釈装置５０の周囲に送り込む走行風ガイド部９１〜９５と、を備える。また、走行風ガイド部９１〜９５は、排気希釈装置５０の上流側に設置されている。
【００４９】
走行風ガイド部９１，９２（送気手段）は、他の走行風ガイド部９３〜９５とは異なり、希釈器本体５１の吸引口５０ａに走行風が誘導されるように下面視でハの字形状に設置される。すなわち、走行風ガイド部９１，９２は、車両の前方側が車両の後方側よりも幅広で、車両の後方側が希釈器本体５１の吸引口５０ａの幅と略一致するように形成される。
【００５０】
これにより、図４の矢印ａに示すように、走行風の一部は、走行風ガイド部９１，９２によって希釈器本体５１の吸引口５０ａに導かれる。したがって、第１及び第２の実施形態と同様に、車両後方からの風の流れと逆方向の空気の流れがつくられることによって、車両後方からの風の巻き込みを抑制することができる。
【００５１】
このように、排気希釈システム１２０は、アンダーカバー９０に走行風ガイド部９１〜９５を設置してアンダーカバー９０下を整流するとともに、走行風ガイド部９１〜９５のうち走行風ガイド部９１，９２は、走行風の一部を希釈器本体５１の吸引口５０ａに導く構造としているので、簡易な構成で、排気希釈装置５０の周囲に車両後方へ向かう空気の流れ場を作ることができる。
【００５２】
なお、本実施形態は、第１及び第２の実施形態とその各変形例とを組み合わせてもよい。このように構成すれば、車両が走行していない停車時において車両後方からの風の巻き込みを抑制することができる。また、排気ガスの車両中央方向に進入防止効果をより一層高めることができる。
【００５３】
以上、上記各実施形態に係る排気希釈システムについて、図面を参照して詳細に説明したが、本発明はこれらの実施形態に限定されるものではなく、本発明の趣旨を逸脱しない範囲で適宜変更可能であることは言うまでもない。
【００５４】
本排気希釈システムは、排気希釈装置の周辺に、車両後方に向けて一定の気体の流れをつくるものであれば、どのようなものでもよい。例えば、本排気希釈システムは、燃料電池システム以外の排ガスを希釈する希釈器にも同様に適用することができる。
【００５５】
また、上記各実施形態では、送気手段は、送風手段、換気手段、又は供給手段を利用した態様を示したが、これら送風手段、換気手段、又は供給手段を利用することなく、専用の送気手段を設置してもよく、同様の効果を得ることができる。
【００５６】
また、上記各実施形態では、ダクトの開口部を、希釈器本体５１の吸引口５０ａに対して１つ設けているが、分岐を増やして複数設けてもよい。また、ダクトの開口部の形状は、どのようなものでもよく、例えば吸引口５０ａを取り囲むような弧状の開口部であってもよい。
【符号の説明】
【００５７】
１      車両
１ａ    車体後部
２０    リヤサブフレーム
３０    蓄電装置
３１    電池収納部
４０    排気配管
４０ａ  噴出口
５０    排気希釈装置
５０ａ  吸引口
５０ｂ  混合部
５０ｃ  開口部
５１    希釈器本体
６０    電池冷却ダクト（送風手段）
６０ａ  基端部
６０ｂ，６０ｄ  配管
６０ｃ  Ｕ字部
６０ｅ  先端部
６１    分岐ダクト（送気手段）
６１ａ，８０ａ  開口部
７０    強制換気ファン（換気手段）
８０    換気ダクト
９０    アンダーカバー
９１〜９５  走行風ガイド部（送気手段）
【図１】
2015210898.tif 000003
【図２】
2015210898.tif 000004
【図３】
2015210898.tif 000005
【図４】
2015210898.tif 000006
【図５】
2015210898.tif 000007